(57)【要約】      （修正有）【課題】イヤホンジャックの防塵プラグ構造を提供する。【解決手段】イヤホンジャックの防塵プラグ構造は、プラグ本体１、装飾パーツ２を備え、プラグ本体１頂点端には組合せ接続端１１を設置し、装飾パーツ２の延伸アーム末端には、プラグ本体１の組合せ接続端１１と相互に組み合わせる組合せ接続部を形成し、これによりプラグ本体１と装飾パーツ２とは一体に組み合わされ、プラグ本体１を携帯電話端末４のイヤホンジャック４１内に挿入することで、ほこりや雑物などのイヤホンジャック４１内への進入を防止し、装飾パーツ２により携帯電話端末４の美観を向上させることができる。【選択図】図３
0003182294.tif 000002
【実用新案登録請求の範囲】
【請求項１】
プラグ本体装飾パーツを備え、前記プラグ本体頂点端には組合せ接続端を設置し、前記装飾パーツは延伸アームを備え、前記装飾パーツの延伸アーム末端の組合せ接続部底面には、前記プラグ本体の組合せ接続端と相互に組み合わせる組合せ接続部を形成し、これにより前記プラグ本体と前記装飾パーツとは一体に組み合わされ、前記プラグ本体を、携帯電話端末のイヤホンジャック内に挿入することで、ほこりや雑物などのイヤホンジャック内への進入を防止し、前記装飾パーツにより携帯電話端末の美観を向上させられることを特徴とするイヤホンジャックの防塵プラグ構造。
【請求項２】
前記プラグ本体の組合せ接続には組合せ接続孔を設置し、前記装飾パーツの延伸アームの組合せ接続部には組合せ接続凸柱を設置し、前記組合せ接続凸柱と前記組合せ接続孔とを、相互に組合せて接続し、結合することを特徴とする請求項１に記載のイヤホンジャックの防塵プラグ構造。
【請求項３】
前記プラグ本体頂点端の組合せ接続端には、前記プラグ本体と垂直を呈する挿入組合せ棒を形成し、前記装飾パーツの延伸アーム末端の組合せ接続部底面には、挿入槽を形成し、これにより前記プラグ本体の組合せ接続端の挿入組合せ棒を、前記装飾パーツの組合せ接続部の挿入槽に挿入して組み合わせ、こうして前記プラグ本体と前記装飾パーツとを一体に結合することを特徴とする請求項１に記載のイヤホンジャックの防塵プラグ構造。
【請求項４】
前記プラグ本体頂点端の組合せ接続位置には組合せ接続槽を形成し、前記装飾パーツの延伸アーム末端の組合せ接続部底面には挿入組合せ棒を形成し、これにより前記挿入組合せ棒をプラグ本体頂点端の組合せ接続端位置に設置する組合せ接続槽内に挿入して組合せ、こうして前記プラグ本体と前記装飾パーツ２とは一体に結合されることを特徴とする請求項１に記載のイヤホンジャックの防塵プラグ構造。
【請求項５】
前記プラグ本体と前記装飾パーツとは、一体に成型されることを特徴とする請求項１に記載のイヤホンジャックの防塵プラグ構造。
【請求項６】
プラグ本体、装飾パーツを備え、前記プラグ本体頂点端にはＬ字型延伸アームを形成し、前記延伸アーム末端の端面には装飾物を組み合わせて設置し、前記プラグ本体を、携帯電話端末のイヤホンジャック内に挿入することで、ほこりや雑物などのイヤホンジャック内への進入を防止し、前記装飾パーツにより携帯電話端末の美観を向上させられることを特徴とするイヤホンジャックの防塵プラグ構造。
【請求項７】
前記プラグ本体は、必要に応じて異なる規格の充電口カバー体に成型することができ、これによりそれぞれ異なる規格の携帯電話端末の充電口に挿入することができ、ほこりや雑物などの充電口内への進入を防止し、前記装飾パーツにより携帯電話端末の美観を向上させられることを特徴とする請求項１〜６のいずれか一項に記載のイヤホンジャックの防塵プラグ構造。  
【請求項８】
前記装飾物は螺合接続方式により前記延伸アームと結合することを特徴とする請求項６に記載のイヤホンジャックの防塵プラグ構造。
【請求項９】
前記装飾物は粘着方式により前記延伸アームと結合することを特徴とする請求項６に記載のイヤホンジャックの防塵プラグ構造。
【請求項１０】
前記装飾物は超音波加工により前記延伸アームと結合することを特徴とする請求項６に記載のイヤホンジャックの防塵プラグ構造。
【請求項１１】
前記装飾パーツの延伸アーム末端の組合せ接続部底面に設置する挿入組合せ棒底部には、逆フック部を設置し、これにより前記プラグ本体と前記装飾パーツとが一体に結合した時に離脱せず、しかも、前記延伸アームの組合せ接続部底面の挿入組合せ棒と、前記プラグ本体頂点端の組合せ接続端位置に設置する組合せ接続槽とを組合せ後は、相対的なスライド微調整を行うことができ、こうして前記プラグ本体と前記装飾パーツとの間の間隔距離を調整し、さまざまな厚みの携帯電話端末に適応させることができることを特徴とする請求項４に記載のイヤホンジャックの防塵プラグ構造。
【考案の詳細な説明】
【技術分野】
【０００１】
本考案はイヤホンジャックの防塵プラグ構造に関し、特にプラグ本体、装飾パーツを備え、プラグ本体頂点端には、組合せ接続端を設置し、装飾パーツの延伸アーム末端には、プラグ本体組合せ接続端と相互に組み合わせる組合せ接続部を形成し、こうしてプラグ本体と装飾パーツを一体に組合せ、プラグ本体により携帯電話端末のイヤホンジャック内に挿入し、ほこりや雑物のイヤホンジャック内への進入を防止し、装飾パーツにより携帯電話端末の美観を向上させることができるイヤホンジャックの防塵プラグ構造に係わる。
【背景技術】
【０００２】
テクノロジーの進歩に従い、各種電子製品が次々に生まれている。
中でも、通信に用いる携帯電話は、我々の日常生活に、高い利便性をもたらしている。
携帯電話によりいつでもどこでも、どんなに遠くにいても人と連絡を取ることができるようになり、携帯電話は今ではあらゆる人が所有するアイテムとなっている。
【０００３】
さらに現在、携帯電話はスマートフォンの時代に入っている。
スマートフォンは、通話機能、インターネット接続機能、及びさまざまなアプリケーション機能を備える他、イヤホンを挿入して音楽を楽しみ、或いはスピーカーフォンとして用いるためのイヤホンジャックを設置する。
【０００４】
しかしイヤホンジャックにイヤホンを挿入していない時に、ほこりや異物がイヤホンジャックに進入することで、イヤホンの使用機能に影響を及ぼす他、携帯電話端末内部の回路に損害が及ぶ事態もしばしば発生している。
【０００５】
携帯電話端末のイヤホンジャック、或いは充電口の防塵プラグ製品は、現在、非常に多くの種類が市販されている。
そしてそのほとんどは、ストレート挿入形式の防塵プラグの形態である。
しかし携帯電話をポケットやバッグの中に入れポケットやバッグから取り出す時に、防塵プラグ製品は折れたり、ひっかかったりし易いという欠点がある。
本考案は従来のイヤホンジャックの防塵プラグ構造の上記した欠点に鑑みてなされたものである。
【考案の概要】
【考案が解決しようとする課題】
【０００６】
本考案が解決しようとする第一の課題は、プラグ本体を携帯電話端末のイヤホンジャック内に挿入することで、ほこりや雑物のイヤホンジャック内への進入を防止できるイヤホンジャックの防塵プラグ構造を提供することである。
本考案が解決しようとする第二の課題は、プラグ本体頂点端には組合せ接続端を設置し、装飾パーツの延伸アーム末端にはプラグ本体組合せ接続端と相互に組み合わせる組合せ接続部を形成し、プラグ本体と装飾パーツを一体に組合せ、これによりほこりや雑物のイヤホンジャック内への進入を防止できるばかりか、携帯電話端末の美観を向上させることもできるイヤホンジャックの防塵プラグ構造を提供することである。
本考案が解決しようとする第三の課題は、プラグ本体をストレート挿入型から「Ｌ字型」挿入型に改良することで、ポケット或いはバッグに入れた携帯電話端末を取り出す際に、プラグが折れたり、ひっかかったりし易いという問題を解決することができるイヤホンジャックの防塵プラグ構造を提供することである。
【課題を解決するための手段】
【０００７】
上記課題を解決するため、本考案は下記のイヤホンジャックの防塵プラグ構造を提供する。
イヤホンジャックの防塵プラグ構造は、プラグ本体、装飾パーツを備え、該プラグ本体頂点端には、組合せ接続端を設置し、該装飾パーツの延伸アーム末端には、該プラグ本体の組合せ接続端と相互に組み合わせる組合せ接続部を形成し、これにより該プラグ本体と該装飾パーツとは一体に組み合わされ、該プラグ本体を携帯電話端末のイヤホンジャック内に挿入することで、ほこりや雑物などのイヤホンジャック内への進入を防止し、該装飾パーツにより携帯電話端末の美観を向上させることができる。
【考案の効果】
【０００８】
本考案のイヤホンジャックの防塵プラグ構造は、プラグ本体頂点端には組合せ接続端を設置し、装飾パーツの延伸アーム末端にはプラグ本体組合せ接続端と相互に組み合わせる組合せ接続部を形成し、プラグ本体と装飾パーツを一体に組合せ、携帯電話端末のイヤホンジャック内に挿入することで、ほこりや雑物のイヤホンジャック内への進入を防止できるばかりか、携帯電話端末の美観を向上させることもでき、プラグ本体をストレート挿入型から「Ｌ字型」挿入型に改良することで、ポケット或いはバッグに入れた携帯電話端末を取り出す際に、プラグが折れたり、ひっかかったりし易いという問題を解決することができる。
【図面の簡単な説明】
【０００９】
【図１】本考案実施例の立体分解図である。
【図２】本考案の組合せ立体図である。
【図３】本考案を、実際に携帯電話端末イヤホンジャックに挿入して接続する実施例の立体分解図である。
【図４】本考案を、実際に携帯電話端末イヤホンジャックに挿入して接続する実施例の立体図である。
【図５】本考案第二実施例の立体分解図である。
【図６】本考案第二実施例の組合せ立体図である。
【図７】本考案第三実施例の立体分解図である。
【図８】本考案第四実施例の立体図である。
【図９】本考案第五実施例の立体分解図である。
【図１０】本考案第五実施例の組合せ立体図である。
【図１１】本考案を、携帯電話端末の充電口に使用する実施例の立体分解図である。
【図１２】本考案を、携帯電話端末の充電口に使用する第二実施例の立体分解図である。
【図１３】本考案を、携帯電話端末の充電口に使用する第三実施例の立体分解図である。
【考案を実施するための形態】
【００１０】
以下に図面を参照しながら本考案を実施するための最良の形態について詳細に説明する。
【実施例】
【００１１】
図１〜４に示すように、本考案イヤホンジャックの防塵プラグ構造は、プラグ本体１、装飾パーツ２を備える。
【００１２】
プラグ本体１頂点端には、組合せ接続端１１を設置する。
装飾パーツ２は延伸アーム２１を備える。
装飾パーツ２の延伸アーム２１末端には、プラグ本体１の組合せ接続端１１と、相互に組み合わせる組合せ接続部２２を形成する。
これによりプラグ本体１と装飾パーツ２とは、一体に組み合わされプラグ本体１を、携帯電話端末４のイヤホンジャック４１内に挿入することで、ほこりや雑物などのイヤホンジャック４１内への進入を防止し、装飾パーツ２により携帯電話端末４の美観を向上させることができる。
【００１３】
プラグ本体１の組合せ接続１１には、組合せ接続孔１１１を設置する。
装飾パーツ２の延伸アーム２１の組合せ接続部２２には、組合せ接続凸柱２２１を設置する。
組合せ接続凸柱２２１と組合せ接続孔１１１とを相互に組合せて接続し、接着剤或いは超音波加工により結合する。
【００１４】
図５、６に示すように本考案の第二実施例は、プラグ本体１の組合せ接続端１１に、プラグ本体１と垂直を呈する挿入組合せ棒１１２を形成する。
装飾パーツ２の延伸アーム２１末端の組合せ接続部２２底面には挿入槽２２２を形成する。
これによりプラグ本体１の組合せ接続端１１の挿入組合せ棒１１２を、装飾パーツ２の組合せ接続部２２の挿入槽２２２に挿入して組み合わせる。
こうしてプラグ本体１と装飾パーツ２とを一体に結合する。
【００１５】
本考案の第三実施例ではプラグ本体１頂点端の組合せ接続１１位置に、組合せ接続槽１１３を形成する。
装飾パーツ２の延伸アーム２１末端の組合せ接続部２２底面には、挿入組合せ棒２２３を形成する。
これにより挿入組合せ棒２２３を、プラグ本体１頂点端の組合せ接続端１１位置に設置する組合せ接続槽１１３内に挿入して組合せる。
こうしてプラグ本体１と装飾パーツ２とは一体に結合される。
さらに挿入組合せ棒２２３底部には逆フック部２２４を設置し、これによりプラグ本体１と装飾パーツ２とが一体に結合した時に離脱しない。
【００１６】
しかも、延伸アーム２１の組合せ接続部２２底面の挿入組合せ棒２２３と、プラグ本体１頂点端の組合せ接続端１１位置に設置する組合せ接続槽１１３とを組合せ後は、相対的なスライド微調整を行うことができる。
こうして、プラグ本体１と装飾パーツ２との間の間隔距離を調整し、さまざまな厚みの携帯電話端末４に適応させることができる(図７参照)。
【００１７】
図８に示すように本考案の第四実施例では、プラグ本体１と装飾パーツ２とを一体に成型する。
【００１８】
図９、１０に示すように本考案の第五実施例では、プラグ本体１頂点端に、Ｌ字型延伸アーム１２を形成する。
延伸アーム末端の端面１２１には、装飾物３を組み合わせて設置する。
装飾物３は螺合して接続或いは接着剤、超音波などにより延伸アーム１２と結合する。
【００１９】
図１１は本考案を携帯電話端末の充電口４２に使用する実施例を示す。
本実施例では、図７に示す構造である、組合せ接続槽１１３を備える組合せ接続端１１下方に、携帯電話端末４の充電口４２に挿入することができる充電口カバー体５を設置する。
本実施例の充電口カバー体５は、iPhone5 Lightning充電コネクタを例とするが、充電口カバー体５は、iPhone5 Lightning充電コネクタに限定するものではなく、Mini Usb、或いは他の規格とすることができ、使用する携帯電話端末４のそれぞれ異なる充電口４２の規格に合わせた充電口カバー体５を選択することができる。
【００２０】
図１３には別の規格の充電口カバー体６を使用する実施例を示す。
本実施例は装飾パーツ２上に、別に装飾物３を組み合わせて設置することができる。
【００２１】
本考案は充電口カバー体５頂点部に挿入組合せ棒５３を設置することができる。
さらに装飾パーツ２の延伸アーム２１末端の組合せ接続部２２底面に、組合せ接続槽２３を形成する。
これにより挿入組合せ棒５３を、装飾パーツ２の延伸アーム２１末端の組合せ接続部２２底面の組合せ接続槽２３内に挿入して組み合わせる。
こうして充電口カバー体５と装飾パーツ２とは一体に結合される。
【００２２】
挿入組合せ棒５３上には逆フック部５４を設置するため、充電口カバー体５と装飾パーツ２とを一体に結合した時に離脱することはない。
しかも延伸アーム２１組合せ接続部２２底面の組合せ接続槽２３と充電口カバー体５頂点端の挿入組合せ棒５３とを組合せ後には、相対的なスライド微調整を行うことができ、これにより充電口カバー体５と装飾パーツ２との間の間隔距離を調整することができる。
こうしてさまざまな厚みの携帯電話端末４に適応させることができる(図１２参照)。
【００２３】
本考案の防塵プラグ本体はL字型を呈するため、ポケット或いはバッグの中に入れた携帯電話を使用者が取り出す時には、プラグ本体が折れたり、ひっかかったりという状況は発生しない。
すなわち本考案は、ほこりや雑物がイヤホンジャック内に進入することを防げるばかりか、携帯電話端末の美観を向上させることもできる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２５】
１      プラグ本体
１１    組合せ接続端
１１１  組合せ接続孔
１１２、２２３、５３  挿入組合せ棒
１１３、２３  組合せ接続槽
１２、２１  延伸アーム
１２１  端面
２      装飾パーツ
２２    組合せ接続部
２２１  組合せ接続凸柱
２２２  挿入槽
２２４、５４  逆フック部
３    装飾物
４    携帯電話端末
４１  イヤホンジャック
４２  充電口
５、６充電口カバー体
【図１】
0003182294.tif 000003
【図２】
0003182294.tif 000004
【図３】
0003182294.tif 000005
【図４】
0003182294.tif 000006
【図５】
0003182294.tif 000007
【図６】
0003182294.tif 000008
【図７】
0003182294.tif 000009
【図８】
0003182294.tif 000010
【図９】
0003182294.tif 000011
【図１０】
0003182294.tif 000012
【図１１】
0003182294.tif 000013
【図１２】
0003182294.tif 000014
【図１３】
0003182294.tif 000015